(57)【要約】      （修正有）【課題】避難場所で使用した場合であっても余震や人が当たるなどにより容易に倒れてしまう不具合も解消するとともに、設置に際して設置面を傷付けることなく、容易かつ迅速に固定設置できるパーティション装置を提供する。【解決手段】設置面Ｈの上に載置する基台部２と、下端３ｄが基台部２により支持され、かつ上方に起立するポール部３と、このポール部３に一端辺４ｓ側が支持されるパーティションシート４又は一端辺側が着脱可能となる別途のパーティションシートと、を備えるパーティション装置１を構成するに際して、基台部２に、操作によりセット位置Ｘｓ又はリリース位置に変位可能な操作レバー部５と、この操作レバー部５のセット位置Ｘｓで設置面Ｈに対して吸着状態になり、かつ操作レバー部５のリリース位置で設置面Ｈに対して吸着解除状態になる吸盤機構部６を設ける。【選択図】図１
2016065406.tif 000002
【特許請求の範囲】
【請求項１】
設置面の上に載置する基台部と、下端が当該基台部により支持され、かつ上方に起立するポール部と、このポール部に一端辺側が支持されるパーティションシート又は一端辺側が着脱可能となる別途のパーティション部材と、を備えるパーティション装置であって、前記基台部に、操作によりセット位置又はリリース位置に変位可能な操作レバー部と、この操作レバー部の前記セット位置で前記設置面に対して吸着状態になり、かつ前記操作レバー部の前記リリース位置で前記設置面に対して吸着解除状態になる吸盤機構部を設けてなることを特徴とするパーティション装置。
【請求項２】
前記ポール部は、硬質のパイプ部材により一体形成してなることを特徴とする請求項１記載のパーティション装置。
【請求項３】
前記基台部は、上面に、上から差込んだ前記ポール部の下端を保持可能な保持溝部を形成してなることを特徴とする請求項１又は２記載のパーティション装置。
【請求項４】
前記操作レバー部は、前記セット位置で起立し、少なくとも先端部に、前記保持溝部に差込んだ前記ポール部の内部に嵌合可能な円柱ブロック部を備えることを特徴とする請求項３記載のパーティション装置。
【請求項５】
前記操作レバー部は、前記ポール部を前記保持溝部に差込んだ状態で前記セット位置又は前記リリース位置へ操作可能に構成することを特徴とする請求項１，２又は３記載のパーティション装置。
【請求項６】
前記ポール部は、前記操作レバー部の前記セット位置又は前記リリース位置への操作を許容する開口部を有することを特徴とする請求項５記載のパーティション装置。
【請求項７】
前記パーティションシートは、前記ポール部の内部に収容したロールカーテン機構におけるカーテンにより構成し、このパーティションシートを前記ポール部の周面部に形成した軸方向に沿ったスリット部から外部に引出可能又は内部に巻取可能に構成してなることを特徴とする請求項１〜６のいずれかに記載のパーティション装置。
【請求項８】
前記ポール部は、当該ポール部の周面部であって、軸方向の一又は二以上の異なる各位置、かつ周方向の一又は二以上の異なる各位置に、前記パーティションシートの他端辺側を保持可能なシート係止部を備えることを特徴とする請求項１〜７のいずれかに記載のパーティション装置。
【請求項９】
前記パーティション部材と前記ポール部間には、前記ポール部の軸方向における一又は二以上の異なる位置にシート着脱部を設けることを特徴とする請求項１〜６のいずれかに記載のパーティション装置。
【発明の詳細な説明】
【技術分野】
【０００１】
本発明は、災害時の避難場所に設置して避難者のプライバシーを守る際などに用いて好適なパーティション装置に関する。
【背景技術】
【０００２】
一般に、大雨や地震等が発生した際における地域の避難場所としては、学校の体育館や公共の大型施設等が指定される場合が多い。この場合、広い場所に多数の人たちが避難することになるため、少なくとも目隠しができるパーティションが存在すれば、各避難者のプライバシーを守るために好適であり、このような目的に使用できるパーティションも提案されている。
【０００３】
従来、この種のパーティションとしては、特許文献１に開示されるロール式可動間仕切及び特許文献２に開示されるパーテーションスタンドが知られている。同文献１に開示されるロール式可動間仕切は、引出し側端部の上端から下端までに取り付けられ、引き出されたスクリーンの縁部と引出し側立柱との間隔を上端が下端よりも大きくなるように、引出し側端部においての下端から上端に向かって傾斜した縁部を有するスクリーンと、スクリーンの引出し側の縁部の上端から下端まで係止し、スクリーンを引出し側立柱に接続させる接続部材と、接続部材の内部に設けられ、接続部材の上端とスクリーンの縁部の上端とを連結するスプリングと、を備え、接続部材の上端を引出し側立柱に引き寄せて接続することでスプリングを収縮させ、スクリーンの上端側をスプリングの復元力により緊張させ、スクリーンの面に発生する弛みを除去するようにしたものである。
【０００４】
また、同文献２に開示されるパーテーションスタンドは、台座を有し、床面に立設されるポールにベルト巻回リールを内蔵し、このベルト巻回リールに先端部にベルトエンドを有するパーテーションベルトを巻回したものにおいて、パーテーションベルトに、剛性を有する線状体からなる剛性横糸がベルトの幅方向にわたって織り込まれたシートを用いたものである。
【先行技術文献】
【特許文献】
【０００５】
【特許文献１】特開２００８−２４８５５０号公報
【特許文献２】実用新案登録第３０５２１１３号公報
【発明の概要】
【発明が解決しようとする課題】
【０００６】
しかし、上述した従来のパーティション（ロール式可動間仕切，パーテーションスタンド）は、次のような問題点があった。
【０００７】
第一に、床面等の設置面に単に置いて使用することを想定しているため、単なる目隠しを目的とした、いわば静的な使用であれば、特に問題を生じることはないが、そうでない場合には、倒れ易い側面を有しているため、使用環境によっては無視できない問題を生じる。具体的には、地震発生による避難場所で使用する場合、余震等によって倒れる虞れがあるとともに、避難者のプライバシーを確保する目的で使用する場合、内側は子供を含む避難者の休む場所となるため、人が当たった際には容易に倒れてしまう虞れがある。しかも、倒れた場合、連鎖的に他の位置のパーティションも倒れてしまい、他の避難者に迷惑をかける事態を生じるとともに、立て直すための無用な労力と時間が強いられる。
【０００８】
第二に、パーティションを倒れにくくするための何らかの固定手段（保持手段）を設ければよいがよいが、適切な手段が存在しないのが実情である。例えば、クギや粘着手段（両面接着テープ）等により一時的に床面に固定することは、施設の床面を傷つけることになり採用できない。また、パーティションの下端部に位置する台座等の重量を大きくし、容易に倒れなくすることも可能であるが、重量やサイズを相当に大きくしなければならず、取扱性や保管性の観点からはマイナス要因となり採用しにくい。さらに、パーテーションと他の柱等を紐等で接続することも考えられるが、紐等を張る作業が大変になるとともに、必ずしも汎用的に使用できるものではなく、しかも、迅速な対応が求められる緊急時には採用しにくい。
【０００９】
本発明は、このような背景技術に存在する課題を解決したパーティション装置の提供を目的とするものである。
【課題を解決するための手段】
【００１０】
本発明は、上記課題を解決するため、設置面Ｈの上に載置する基台部２と、下端３ｄが当該基台部２により支持され、かつ上方に起立するポール部３と、このポール部３に一端辺４ｓ側が支持されるパーティションシート４又は一端辺Ｃｓ側が着脱可能となる別途のパーティション部材Ｃと、を備えるパーティション装置１を構成するに際して、基台部２に、操作によりセット位置Ｘｓ又はリリース位置Ｘｒに変位可能な操作レバー部５と、この操作レバー部５のセット位置Ｘｓで設置面Ｈに対して吸着状態になり、かつ操作レバー部５のリリース位置Ｘｒで設置面Ｈに対して吸着解除状態になる吸盤機構部６を設けてなることを特徴とする。
【００１１】
この場合、本発明の好適な態様により、ポール部３は、硬質のパイプ部材Ｐにより一体形成することができる。一方、基台部２の上面２ｕには、上から差込んだポール部３の下端３ｄを保持可能な保持溝部１１を形成することができる。また、操作レバー部５には、セット位置Ｘｓで起立し、少なくとも先端部５ｓに、保持溝部１１に差込んだポール部３の内部に嵌合可能な円柱ブロック部１２を設けることができる。なお、操作レバー部５は、ポール部３を保持溝部１１に差込んだ状態でセット位置Ｘｓ又はリリース位置Ｘｒへ操作可能に構成することもでき、この際、ポール部３には、操作レバー部５のセット位置Ｘｓ又はリリース位置Ｘｒへの操作を許容する開口部３ｏを設けることができる。他方、パーティションシート４は、ポール部３の内部に収容したロールカーテン機構Ｍｓにおけるカーテンにより構成し、このパーティションシート４をポール部３の周面部３ｆに形成した軸方向Ｄｓに沿ったスリット部３ｓから外部に引出可能又は内部に巻取可能に構成できる。この際、ポール部３の周面部３ｆであって、軸方向Ｄｓの一又は二以上の異なる各位置、かつ周方向Ｄｆの一又は二以上の異なる各位置に、パーティションシート４の他端辺４ｔ側を保持可能なシート係止部３ｆｕ…，３ｆｄ…を設けることができる。他方、パーティション部材Ｃとポール部３間には、当該ポール部３の軸方向Ｄｓにおける一又は二以上の異なる位置にシート着脱部Ｃｄ…を設けることができる。
【発明の効果】
【００１２】
このような構成を有する本発明に係るパーティション装置１によれば、次のような顕著な効果を奏する。
【００１３】
（１）  基台部２に、設置面Ｈに対して吸着状態又は吸着解除状態にできる吸盤機構部６を設けてなるため、パーティション装置１を設置面Ｈに対して容易に固定できるとともに、使用後も容易に固定を解除し、容易に撤去できる。したがって、地震発生による避難場所で使用した場合であっても余震等による容易な倒れを回避できるとともに、人が当たって容易に倒れてしまう不具合を解消できるなど、特に、災害時の避難場所に設置して避難者のプライバシーを守る際などに用いて最適となる。
【００１４】
（２）  吸盤機構部６は、操作レバー部５のセット位置Ｘｓで設置面Ｈに対して吸着状態（固定状態）となり、かつ操作レバー部５のリリース位置Ｘｒで吸着解除状態（固定解除状態）となるため、設置に際して設置面Ｈを傷付けることなく、容易かつ迅速に固定設置できる。しかも、大きさや重さは、単に載置して使用する一般基台とほとんど変わらないため、取扱性，保管性，低コスト性などを犠牲にすることなく、当該一般基台と同水準で実施できる。
【００１５】
（３）  好適な態様により、ポール部３を硬質のパイプ部材Ｐにより一体形成すれば、汎用的な金属パイプ或いはプラスチックパイプ等を利用できるため、容易かつ低コストに実施できる。
【００１６】
（４）  好適な態様により、基台部２の上面２ｕに、上から差込んだポール部３の下端３ｄを保持可能な保持溝部１１を形成すれば、基台部２に対してポール部３をいわばワンタッチで組付可能となるため、基台部２とポール部３を容易に一体化できるとともに、ポール部３を基台部２により確実に保持できる。
【００１７】
（５）  好適な態様により、操作レバー部５を構成するに際し、セット位置Ｘｓで起立し、少なくとも先端に、保持溝部１１に差込んだポール部３の内部に嵌合可能な円柱ブロック部１２を設けて構成すれば、操作レバー部５によりポール部３を補助的に保持できるため、基台部２とポール部３を一体化した際の剛性をより高めることができるとともに、ポール部３により操作レバー部５を保護する補助的機能も確保できる。
【００１８】
（６）  好適な態様により、操作レバー部５を構成するに際し、ポール部３を保持溝部１１に差込んだ状態でセット位置Ｘｓ又はリリース位置Ｘｒへ操作可能に構成すれば、使用状態において空気漏れ等により吸盤機構部６の吸盤機能が低下した場合であっても再操作により吸盤機能を容易に復帰させることができる。したがって、長期にわたり固定状態を維持できる。
【００１９】
（７）  好適な態様により、ポール部３に、操作レバー部５のセット位置Ｘｓ又はリリース位置Ｘｒへの操作を許容する開口部３ｏを形成すれば、ポール部３を保持溝部１１に差込んだ状態でセット位置Ｘｓ又はリリース位置Ｘｒに対する操作が実現可能になるため、操作レバー部５による再操作機能を容易かつ確実に実現できる。
【００２０】
（８）  好適な態様により、パーティションシート４を、ポール部３の内部に収容したロールカーテン機構Ｍｓのカーテンにより構成し、このパーティションシート４をポール部３の周面部３ｆに形成した軸方向Ｄｓに沿ったスリット部３ｓから外部に引出可能又は内部に巻取可能に構成すれば、ポール部３の内部空間を利用した最適な実施形態として構築できる。
【００２１】
（９）  好適な態様により、ポール部３の周面部３ｆであって、軸方向Ｄｓの一又は二以上の異なる各位置、かつ周方向Ｄｆの一又は二以上の異なる各位置に、パーティションシート４の他端辺４ｔ側を保持可能なシート係止部３ｆｕ…，３ｆｄ…を設ければ、オプション等による保持手段や部品類を別途用意する必要がなく、容易かつ低コストに実施できる。
【００２２】
（１０）  好適な態様により、パーティション部材Ｃとポール部３間に、当該ポール部３の軸方向Ｄｓにおける一又は二以上の異なる位置にシート着脱部Ｃｄ…を設ければ、パーティション部材Ｃとポール部３側を離脱可能にできるため、保管性及び携帯性の向上に寄与できるとともに、パーティション部材Ｃのメンテナンス（洗浄，交換等）の向上に寄与できる。
【図面の簡単な説明】
【００２３】
【図１】本発明の好適実施形態に係るパーティション装置の使用状態における要部の断面正面図、
【図２】同パーティション装置に備える基台部の断面正面図、
【図３】同パーティション装置に備える基台部の平面図、
【図４】同パーティション装置に備えるポール部の上部を示す外観斜視図、
【図５】同パーティション装置におけるオプションとして用意可能な基台部を参考例と示す断面正面図、
【図６】同パーティション装置の使用方法説明図、
【図７】同パーティション装置の一つの使用状態を示す外観正面図、
【図８】同パーティション装置を複数組合わせた使用状態を示す外観斜視図、
【図９】同パーティション装置の変更実施形態を示す断面正面図、
【図１０】同パーティション装置の他の変更実施形態を示す平面図、
【発明を実施するための形態】
【００２４】
次に、本発明に係る好適実施形態を挙げ、図面に基づき詳細に説明する。
【００２５】
まず、本実施形態に係るパーティション装置１の構成について、図１〜図６を参照して説明する。
【００２６】
パーティション装置１は、図１に示すように、大別して、基台部２，ポール部３及びパーティションシート４を備える。
【００２７】
基台部２は、床面等の設置面Ｈの上に載置する機能を有しており、図１〜図３に詳細構造を示す。基台部２は、本発明の要部構成、即ち、操作によりセット位置Ｘｓ又はリリース位置Ｘｒに変位可能な操作レバー部５と、この操作レバー部５のセット位置Ｘｓで設置面Ｈに対して吸着状態になり、かつ操作レバー部５のリリース位置Ｘｒで設置面Ｈに対して吸着解除状態になる吸盤機構部６を備えている。
【００２８】
この場合、吸盤機構部６は、円形の基体部２１ｓとこの基体部２１ｓの下面周縁部から下方へ突出したリング形の周体部２１ｆを有する基体盤２１を備え、この周体部２１ｆの下端面に、円形の吸盤２２の周縁部を固定する。これにより、吸盤２２と基体盤２１間には密閉状の空間が形成される。なお、基体盤２１は金属等の硬質素材により一体形成する。一方、基体盤２１の上面には、ポール支持部２３をを固定する。このポール支持部２３は、合成樹脂等の硬質素材により、上下方向に所定の厚さを有する円盤ブロック状に形成し、上面２ｕには、後述するポール部３の下端３ｄを上から差込むことができる保持溝部１１を形成する。これにより、保持溝部１１に下端３ｄを差込んだポール部３を、上方に起立させた状態で支持（保持）することができる。このような保持溝部１１を設ければ、基台部２に対してポール部３をいわばワンタッチで組付可能となるため、基台部２とポール部３を容易に一体化できるとともに、ポール部３を基台部２により確実に保持できる利点がある。そして、ポール支持部２３の上面には、図１〜図３に示すように、切込状（スリット状）となるレバー取付部２４を設ける。
【００２９】
一方、操作レバー部５は、一定の厚さを有するプレート部材により形成したレバー本体部３１と、このレバー本体部３１の先端（一端）に一体に設けた円柱ブロック部１２を備える。円柱ブロック部１２は、後述するポール部３の内部に嵌合可能に形成、即ち、ポール部３の内径よりもやや小径に形成し、あまり遊びが生じないようにしてポール部３の内部に挿入可能に形成する。また、レバー本体部３１の他端は半円部３１ｓとなるように形成し、この半円部３１ｓの中心に対して円柱ブロック部１２側へ所定幅Ｌｓ（図２参照）だけオフセットした位置に支軸３２を固定する。これにより、支軸３２は、レバー取付部２４の内部に設けた軸受部３３，３３により回動自在に支持される。この場合、各軸受部３３，３３は上下に長くし、支軸３２が所定範囲にわたって上下変位できるように形成する。この際、レバー本体部３１の厚さ方向中央位置における支軸３２の中心位置が、円形をなすポール支持部２３（基体部２１ｓ）の中心に位置するように選定する。
【００３０】
これにより、操作レバー部５は、図１に示すように、上方に起立させたセット位置Ｘｓと、図２（図３）に示すように、セット位置Ｘｓからほぼ９０〔゜〕傾倒させたリリース位置Ｘｒに選択的に変位可能となる。この場合、リリース位置Ｘｒでは、横たわったレバー本体部３１が基体盤２１の上面に対して平行に位置するように考慮するとともに、セット位置Ｘｓでは基体盤２１の上面に対して直角に起立するように考慮する。このため、ポール支持部２３にはレバー本体部３１に当接して位置規制する規制部２３ｓを一体形成することが望ましい。このように、操作レバー部５を構成するに際し、セット位置Ｘｓで起立し、少なくとも先端に、保持溝部１１に差込んだポール部３の内部に嵌合可能な円柱ブロック部１２を設けて構成すれば、操作レバー部５によりポール部３を補助的に保持できるため、基台部２とポール部３を一体化した際の剛性をより高めることができるとともに、ポール部３により操作レバー部５を保護する補助的機能も確保できる利点がある。
【００３１】
さらに、支軸３２と吸盤２２は変位伝達部３４を介して連結する。変位伝達部３４は、支軸３２の両側位置に上端部を回動自在に取付け、かつ下端側を基体部２１ｓ及び吸盤２２を貫通させることにより当該吸盤２２の下面側に突出させた一対の伝達リンク３４ｂ，３４ｂと、この伝達リンク３４ｂ，３４ｂの下端に一体に設け、かつ吸盤２２の下面に重ねた支持板３４ｐを有する。これにより、操作レバー部５のセット位置Ｘｓで設置面Ｈに対して吸着状態になり、かつ操作レバー部５のリリース位置Ｘｒで設置面Ｈに対して吸着解除状態になる吸盤機構部６が構成される。なお、吸盤２２の下面周縁部には比較的柔らかい素材により形成したシールリング３５を固定する。
【００３２】
他方、ポール部３は、硬質のパイプ部材Ｐにより一体形成する。これにより、ポール部３の下端３ｄは、上述した基台部２に形成した保持溝部１１に対して上から差し込むことができるため、ポール部３は、下端３ｄが基台部２により支持され、かつ上方に起立可能となる。このように、ポール部３を硬質のパイプ部材Ｐにより一体形成すれば、汎用的な金属パイプ或いはプラスチックパイプ等を利用できるため、容易かつ低コストに実施できる利点がある。
【００３３】
また、パーティションシート４は、ポール部３の内部に収容したロールカーテン機構Ｍｓにおけるカーテンより構成する。したがって、図１に示すように、ポール部３の内部における下部位置（収容した円柱ブロック部１２の上方）には、軸受部４１を固定するとともに、ポール部３の上端３ｕには操作部４２を回動自在に設ける。この場合、操作部４２は、ポール部３の上端３ｕに回動自在に装着した回動部４２ｒ及びこの回動部４２ｒの上面に設けたハンドル部４２ｈにより構成する。なお、ハンドル部４２ｈは使用位置と格納位置へ選択的に変位させることができる。そして、ロールカーテン機構Ｍｓのシャフト部４３の上端を回動部４２ｒの下面中心に固定するとともに、シャフト部４３の下端は軸受部４１の上面中心に回動自在に取付ける。さらに、ロールカーテン機構Ｍｓのカーテンを用いたパーティションシート４の一端辺４ｓはシャフト部４３の周面に固定するとともに、パーティションシート４の他端辺４ｔ側は、ポール部３の周面部３ｆに形成した軸方向Ｄｓに沿ったスリット部３ｓから外部に引出可能又は内部に巻取可能に構成する。これにより、ポール部３の内部空間を利用した最適な実施形態として構築できる。
【００３４】
一方、図４に示すように、ポール部３の周面部３ｆであって、軸方向Ｄｓの一又は二以上の異なる各位置、かつ周方向Ｄｆの一又は二以上の異なる各位置には、パーティションシート４の他端辺４ｔ側を保持可能なシート係止部３ｆｕ…，３ｆｄ…を設ける。具体的には、図１及び図６（ｄ）に示すように、パーティションシート４の他端辺４ｔ側の上下位置に、シート係止部３ｆｕ…，３ｆｄ…に係止可能なフック部４６，４６を設けるとともに、シート係止部３ｆｕ…，３ｆｄ…をフック部４６，４６が係止する開口により形成した。なお、パーティションシート４は無地であってもよいし、図６（ｄ）に示すようにデザインを施しても勿論よい。このように、ポール部３の周面部３ｆであって、軸方向Ｄｓの一又は二以上の異なる各位置、かつ周方向Ｄｆの一又は二以上の異なる各位置に、パーティションシート４の他端辺４ｔ側を保持可能なシート係止部３ｆｕ…，３ｆｄ…を設ければ、オプション等による保持手段や部品類を別途用意する必要がなく、容易かつ低コストに実施できる利点がある。
【００３５】
次に、本実施形態に係るパーティション装置１の使用方法（設置方法）及び各部の機能について、図１〜図８を参照して説明する。
【００３６】
図６（ａ）〜（ｄ）には、パーティション装置１を設置する際における設置手順を示す。まず、基台部２を設置面Ｈに設置する。この際、基台部２における操作レバー部５はリリース位置Ｘｒに傾しておく。これにより、図２に示すように、変位伝達部３４は下降し、吸盤２２は自らの弾性によりほぼ平坦となる状態に復帰している。したがって、この状態における吸盤機構部６が設置面Ｈに対する吸着解除状態になる。図６（ａ）はこの状態を示すとともに、矢印Ｆ１は基台部２の設置方向を示している。
【００３７】
基台部２を設置面Ｈに載置したなら、基台部２を一方の手で押さえ、他方の手で操作レバー部５を起立させる。即ち、図６（ｂ）に示すように、操作レバー部５を矢印Ｆ２方向へ回動変位させ、セット位置Ｘｓにする。これにより、図１（図２）に示すように、変位伝達部３４は上方変位し、吸盤２２を高さＬｓだけ上方へ変位させる。この結果、吸盤２２の下方空間には負圧が発生し、設置面Ｈに対して吸着状態になる。この場合、支軸３２の取付位置は、レバー本体部３１の半円部３１ｓの先端から離れる方向に、幅Ｌｓだけオフセットしているため、操作レバー部５をほぼ９０〔゜〕回動変位させることにより、吸盤２２を高さＬｓだけ上方変位させることができる。
【００３８】
次いで、ポール部３を用意し、図６（ｂ）に示すように、ポール部３の下端３ｄを矢印Ｆ３方向から基台部２に装着する。即ち、ポール部３の下端３ｄ開口に、操作レバー部５の円柱ブロック部１２を挿入させるとともに、ポール部３の下端３ｄを保持溝部１１に対して上から差し込む。この状態を図６（ｃ）に示す。これにより、基台部２及びこの基台部２に支持されたポール部３の設置が終了する。
【００３９】
ポール部３を設置したなら、パーティションシート４の他端４ｔに設けた把手紐４８を引張り、ポール部３のスリット部３ｓからパーティションシート４を外部に引き出す。この状態を図６（ｄ）に示す。そして、図７に仮想線で示すように、所定距離だけ離間して設置した他のパーティション装置１におけるポール部３に設けたシート係止部３ｆｕ，３ｆｄに、引き出したパーティションシート４の他端４ｔに設けたフック部４６，４６を掛止する。これにより、一つのパーティション装置１の設置が終了する。図８は、多数のパーティション装置１…を組合わせて構成した仕切ブースＨの一例を示している。このような仕切ブースＨは、用途や設置場所に応じた様々な形状や大きさになるように構成することができる。なお、パーティション装置１を撤去する際には、フック部４６，４６をシート係止部３ｆｕ，３ｆｄから外した後、操作部４２におけるハンドル部４２ｈを使用位置にし、回動部４２ｒを回すことにより、パーティションシート４を巻取り、ポール部３の内部に収容できる。
【００４０】
よって、このような本実施形態に係るパーティション装置１によれば、基台部２に、設置面Ｈに対して吸着状態又は吸着解除状態にできる吸盤機構部６を設けてなるため、パーティション装置１を設置面Ｈに対して容易に固定できるとともに、使用後も容易に固定を解除し、容易に撤去できる。したがって、地震発生による避難場所で使用した場合であっても余震等による容易な倒れを回避できるとともに、人が当たって容易に倒れてしまう不具合を解消できるなど、特に、災害時の避難場所に設置して避難者のプライバシーを守る際などに用いて最適となる。また、吸盤機構部６は、操作レバー部５のセット位置Ｘｓで設置面Ｈに対して吸着状態（固定状態）となり、かつ操作レバー部５のリリース位置Ｘｒで吸着解除状態（固定解除状態）となるため、設置に際して設置面Ｈを傷付けることなく、容易かつ迅速に固定設置できる。しかも、大きさや重さは、単に載置して使用する一般基台とほとんど変わらないため、取扱性，保管性，低コスト性などを犠牲にすることなく、当該一般基台と同水準で実施できる。
【００４１】
次に、本実施形態に係るパーティション装置１の参考例及び各部の変更実施形態について、図５，図７，図９及び図１０を参照して説明する。
【００４２】
図５は、基台部２の代替として使用可能な補助基台部２ｅを参考例として示す。設置場所によっては、平坦性に欠けた設置面Ｈｅとなる場合があり、この場合には、基台部２の設置が困難となることが想定される。したがって、補助基台部２ｅを用意しておくことにより、この補助基台部２ｅを補助的に使用できる。この補助基台部２ｅは、図５に示すように、金属素材により重さを確保した基盤７１，この基盤７１の下面に貼付けたゴム素材により形成した滑り止めシート７２及び基盤７１の上面に固定したプラスチック素材により形成したポール支持部７３を備えており、ポール支持部７３の中央位置にはポール部３の下端３ｄを上から差し込むことができる支持孔７３ｓを有する。
【００４３】
ポール部３は、単純構造のパイプ部材Ｐにより形成するため、このような補助基台部２ｅを用意することにより、ポール部３の下端３ｄを上から差し込むことができ、容易に代替使用が可能である。この補助基台部２ｅを使用した場合であっても、隣接する他のパーティション装置１において基台部２を使用すれば、パーティション装置１…の容易な倒れは回避できる。
【００４４】
図７は、前述したように、設置状態のパーティション装置１を示したものであるが、この図７の中に、仮想線により変更実施形態となる追加構造を示した。まず、３ｅは変更実施形態に係るポール部を示す。このポール部３ｅは、基本形態となるポール部３の外周面に一又は二以上のサポートステー８１…を取付けたものである。サポートステー８１…は、一端をポール部３の外周面に回動可能に取付けたものであり、非使用時には、ポール部３の外周面に平行に沿わせて格納できるとともに、使用時には、ポール部３の外周面に対して斜め下方に位置させることにより、ポール部３を支えることができるようにした。これにより、ポール部３ｅの容易な倒れを防止でき、このようなサポートステー８１…は必要に応じて使用できる。
【００４５】
また、Ｃは変更実施形態に係るパーティション部材を示す。このパーティション部材Ｃは、ポール部３に対して、別途用意するものである。前述した図１に示したパーティション装置１は、ポール部３の内部に収容したロールカーテン機構Ｍｓにおけるカーテンをパーティションシート４として使用、即ち、パーティションシート４の一端辺４ｓ側をポール部３に対して固定した構造となるが、図７に仮想線で示したパーティション部材Ｃは、一端辺Ｃｓ側を、ポール部３に対して着脱可能に構成したものである。このため、パーティション部材Ｃとポール部３間には、当該ポール部３の軸方向Ｄｓにおける一又は二以上の異なる位置にシート着脱部Ｃｄ…を設けている。
【００４６】
このように、ポール部３に一端辺Ｃｓ側が着脱可能となる別途のパーティション部材Ｃを用いるとともに、このパーティション部材Ｃとポール部３間に、当該ポール部３の軸方向Ｄｓにおける一又は二以上の異なる位置にシート着脱部Ｃｄ…を設けて構成すれば、パーティション部材Ｃとポール部３側は、離脱可能になるため、保管性及び携帯性の向上に寄与できるとともに、パーティション部材Ｃのメンテナンス（洗浄，交換等）の向上に寄与できる。
【００４７】
図９は、操作レバー部５の変更実施形態を示す。変更実施形態に係る操作レバー部５は、ポール部３を保持溝部１１に差込んだ状態でセット位置Ｘｓ又はリリース位置Ｘｒへ操作可能に構成したものである。このため、操作レバー部５は、図９に示すように、レバー本体部３１の上部をＬ形に形成するとともに、ポール部３の周面部３ｆには軸方向に沿ったスリット部３ｏを形成し、操作レバー部５の上側先端をスリット部３ｏを通して外部に露出させた。したがって、前述した円柱ブロック部１２は存在しない。なお、５ｍはレバー本体部３１の上側先端に設けた把手部を示す。これにより、ポール部３を保持溝部１１に差込んだ状態であっても、操作レバー部５は、図９に示すように、矢印Ｆｒ方向へほぼ９０〔°〕にわたって回動操作することができ、起立するセット位置Ｘｓ又は傾倒するリリース位置Ｘｒへ選択的に変位させることができる。
【００４８】
このような変更実施形態によれば、使用状態において空気漏れ等により吸盤機構部６の吸盤機能が低下した場合であっても再操作により吸盤機能を容易に復帰させることができる。したがって、長期にわたり固定状態を維持できる。また、ポール部３に、操作レバー部５のセット位置Ｘｓ又はリリース位置Ｘｒへの操作を許容する開口部３ｏを形成すれば、ポール部３を保持溝部１１に差込んだ状態でセット位置Ｘｓ又はリリース位置Ｘｒに対する操作が実現可能になるため、操作レバー部５による再操作機能を容易かつ確実に実現できる。図９において、その他、図１及び図２と同一部分（同一機能部分を含む）については同一符号を付し、その構成を明確化するとともに、その詳細な説明は省略した。
【００４９】
図１０は、二つのパーティション装置１，１を一体化した、いわば連結式のパーティション装置ユニット１ｗを示す。したがって、基本的には、前述したポール支持部２３を二つ含む連結ポール支持部２３ｅとして一体成形したり、或いは二つのポール支持部２３，２３を連結部材２３ｅにより連結して一体化させることにより実現できる。図１０において、その他、図１〜図３と同一部分（同一機能部分を含む）については同一符号を付し、その構成を明確化するとともに、その詳細な説明は省略した。
【００５０】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００５１】
例えば、設置面Ｈは、直接面であるか間接面であるかは問わない。即ち、木製の床面に別途の平坦パネルを敷設した場合、当該平坦パネルの上面が設置面Ｈとなる。また、ポール部３は、硬質のパイプ部材Ｐにより一体形成することが望ましいが、伸縮構造に構成したり木製やプラスチック製の棒材などであってもよい。さらに、基台部２の上面２ｕに保持溝部１１を形成した場合を示したが、組付時に、ポール部３の下端３ｄを保持することができる各種保持手段を適用できる。一方、操作レバー部５に円柱ブロック部１２を設けた場合を示したが、必ずしも設けることを要しない。他方、パーティション部材Ｃは、例示したシートタイプのみならず、パネルタイプや蛇腹タイプなど、各種態様により実施できる。
【産業上の利用可能性】
【００５２】
本発明に係るパーティション装置は、災害時の避難場所に設置する場合をはじめ、エリアの仕切り或いは目隠しなど、パーティションを必要とする各種用途に利用できる。
【符号の説明】
【００５３】
１：パーティション装置，２：基台部，２ｕ：基台部の上面，３：ポール部，３ｄ：ポール部の下端，３ｏ：ポール部の開口部，３ｆ：ポール部の周面部，３ｆｕ…：シート係止部，３ｆｄ…：シート係止部，３ｓ：ポール部のスリット部，４：パーティションシート，４ｓ：パーティションシートの一端辺，４ｔ：パーティションシートの他端辺，５：操作レバー部，５ｓ：操作レバー部の先端部，６：吸盤機構部，１１：保持溝部，１２：円柱ブロック部，Ｈ：設置面，Ｃ：パーティション部材，Ｃｓ：パーティションシートの一端辺，Ｘｓ：セット位置，Ｘｒ：リリース位置，Ｘｕ：周面部の位置，Ｘｄ：周面部の位置，Ｐ：パイプ部材，Ｍｓ：ロールカーテン機構，Ｄｓ：軸方向，Ｄｆ：周方向，Ｃｓ：パーティションシートの一端辺，Ｃｄ…：シート着脱部
【図１】
2016065406.tif 000003
【図２】
2016065406.tif 000004
【図３】
2016065406.tif 000005
【図４】
2016065406.tif 000006
【図５】
2016065406.tif 000007
【図６】
2016065406.tif 000008
【図７】
2016065406.tif 000009
【図８】
2016065406.tif 000010
【図９】
2016065406.tif 000011
【図１０】
2016065406.tif 000012